Podtech/llm-jp-corpus-v4-ja_patent huggingface dataset:
(57)【要約】      （修正有）【課題】防犯や位置確認といった本来の目的を果たすため、携帯忘れや紛失を防ぎ、子供やお年寄りが抵抗を感じることなく、常時気軽に身につけることの出来るＧＰＳ端末の提供である。【解決手段】位置情報の発信と危険信号を発信するボタン等を装備したＧＰＳ端末を常時、気軽に身に付ける事の出来るお洒落なデザインのアクセサリーに搭載する。それにより、子供やお年寄りなどが、抵抗を感じることなく、お洒落の一環として、ＧＰＳ端末を気軽に身に付ける事が出来、意識しなくとも常に身に付けている事が出来るため、携帯忘れや紛失を防ぎ、簡単に手の届く身体に装着しているため、緊急時に、とっさに危険信号を発信するボタン等を押す事が出来る。また、犯罪者等により容易にＧＰＳ端末である事が識別しにくく、身体に密着しているため、犯罪者等が容易に取り外す事が難しくなる。【選択図】図１
2008015993.tif 000002
【特許請求の範囲】
【請求項１】
位置情報の発信機能、また緊急時に危険信号を発信するボタン等を装備したＧＰＳを搭載し、常時気軽に身に付けることが出来るお洒落なデザインのアクセサリー
【発明の詳細な説明】
【技術分野】
【０００１】この発明は、防犯や緊急時の位置確認のため、子供やお年寄り等が気軽に常時身に付ける事の出来るＧＰＳ機能を兼ね備えたアクセサリーに関するものである。
【背景技術】
【０００２】通学時の児童を狙った犯罪の増加や高齢化社会によるお年寄りの徘徊等の社会背景により、犯罪や緊急の際に危険信号を発信したり、位置情報の確認の取れるＧＰＳ端末の携帯は必須のものとなっている。
しかしながら、従来の技術では、携帯電話や専用端末などにＧＰＳ機能を兼ね備えたものだったため不恰好で、子供やお年寄り等が携帯することに抵抗を感じやすく、カバンに入れっ放しだったり、常時、身に付ける事が出来ず、携帯忘れや紛失などの事例が見受けられ、防犯や位置確認と言う本来の目的を果たし切れていない。
犯罪などの一刻を争う場面に遭遇したとしても、カバンに入っていたりすると手が届かず、危険信号を発信するボタン等をとっさに押しにくい。
また犯罪者等により容易にＧＰＳ端末である事が識別出来るため、犯罪抑止にはなるが、犯罪者などにより、ＧＰＳ機能を解除されてしまったり、取り外されてしまっては、意味をなさないものであった。
【発明の開示】
【発明が解決しようとする課題】
【０００３】防犯や緊急時の位置確認と言う本来の目的を果たすために、携帯忘れや紛失を防ぎ、子供やお年寄りなどが抵抗を感じることなく、常時手軽に身に付け、犯罪発生時等のとっさの際に危険信号を発するボタン等にすぐに触る事が出来るデザイン、また犯罪者等により容易にＧＰＳ端末である事が識別しにくく、識別出来たとしても簡単には取り外しが出来ないＧＰＳ端末の提供。
【課題を解決するための手段】
【０００４】位置情報の発信と危険信号を発信するボタン等を装備したＧＰＳ端末を、常時気軽に身に付ける事の出来るお洒落なデザインのアクセサリーに搭載する。
【発明の効果】
【０００５】ＧＰＳ機能をお洒落なアクセサリーに搭載する事で、子供やお年寄りなどが、抵抗を感じることなく、お洒落の一環として常時気軽に身に付ける事が出来、意識しなくとも常に身に付けている事が出来るため、携帯忘れや紛失を防ぎ、簡単に手の届く身体に装着しているため、一刻を争う犯罪の場面に遭遇した時に、とっさに危険信号を発信するボタン等を押す事が出来る。また、犯罪者等により容易にＧＰＳ端末である事が識別しにくくなり、身体に密着しているため、犯罪者等が容易に取り外す事が難しくなる。
また、この発明が社会的に周知のものとなった際には、様々なアクセサリーを身に付けた全ての人がＧＰＳ端末を搭載しているかも知れないと言う心理から、社会全体の悪質な犯罪の抑止に繋がる。
【発明を実施するための最良の形態】
【０００６】図面を参照しながら本発明の実施形態の一例、ＧＰＳ機能付きブレスレット（腕輪）について説明する。【０００７】図１は、本発明を真上から見た図である。図１−１は金属、木材、ゴム、樹脂、その他の素材のプレート等でＧＰＳ端末が覆われている部分である。図１−２は、プレートを図−３のブレスレット（腕輪）の土台部分に、固定する為のリベット等に見せかけた、危険信号を発信するボタンである。当ボタンを強く押す事により、危険信号を発信する事が出来る。当該部分の実際の固定は接着剤などを用いても良い。図１−３のブレスレット（腕輪）の土台の部分は、金属、木材、ゴム、樹脂、その他の素材により作られている。必ずしも単一素材だけでなく、チェーン化したものや部分的に素材を変えたもの等も土台とすることが出来る。図１−４は、当ブレスレット（腕輪）を着脱するための器具である。【０００８】図２は、本発明を正面から見た図である。図２−１部分は、ＧＰＳ端末がカバーされているプレートを固定するためのリベット等であるのに対し、図２−３部分は、見た目は同じものだが、危険信号を発信するボタンである。このように、見た目には容易にＧＰＳ端末であると識別しにくいデザインとなっている。
図２−２では、プレートにブランド名や個人の名前等の刻印やキャラクターや花柄と言った模様のプリント等、気軽に子供やお年寄りが付けたくなるようなお洒落なデザインが描かれている。
【実施例】
【０００９】例に挙げた、ブレスレット（腕輪）以外にも次のような実施形態の例が挙げられる。【００１０】図１−３部分の土台がヘアバンドの形態となっており、頭部に装着できるもの。【００１１】図１−３部分の土台がネックレスの形態となっており、頸部に装着できるもの。【００１２】図１−３部分の土台がアームレットの形態となっており、上腕部に装着できるもの。【００１３】図１−３部分の土台がアンクレットの形態となっており、足首に装着できるもの。【００１４】図１−３部分の土台がベルトの形態となっており、腰周りに装着できるもの。【００１５】図１−３部分の土台が指輪の形態となっており、指に装着できるもの。
【産業上の利用可能性】
【００１６】ＧＰＳ機能付きアクセサリーから発せられる位置情報をインターネットを使い、パソコンの画面などで、子供やお年寄り等の現在位置を把握する事や警察や警備会社との連携を取る事により、災害時や犯罪等の際に迅速な対応を取ることが出来る。【００１７】学童等は学校から提供されるＧＰＳ機能付きアクセサリーを装着する事により、登下校時の安全の確保と、児童全員が装着する事により、地域住民の防犯意識の向上や犯罪の抑止に繋がる。【００１８】個人のプライバシー保護の観点から、位置情報を常に発するものだけでなく、緊急時等にボタンを押した時のみ位置情報を知らせるものも可能である。【００１９】ファッションメーカーや一流ブランド等により、様々なＧＰＳ付きアクセサリーが発売されれば、デザインのバリエーションも増加し、好きなタイプのものを選べるので、より手軽に抵抗を感じることなく装着出来るものとなる。
【図面の簡単な説明】
【００２０】
【図１】この図は、本発明の実施形態の一例を上から見た図である。
【００２１】
【図２】この図は、本発明の実施形態の一例を正面から見た図である。
【図１】
2008015993.tif 000003
【図２】
2008015993.tif 000004
(57)【要約】【課題】  電磁データーの完全破壊とデーター破壊依頼者の信頼及び依頼者の求める場所での破壊処理、又データー破壊記録の構築、破壊処理工程の視認とカメラによる撮影記録の保存が全て可能な移動式電磁データー破壊装置。【解決手段】  電磁記録データーを電磁石の磁場に曝し記録データーの一時破壊をする、この破壊された記録媒体をショットブラストの硬球を激突させ破壊する。破壊処理工程は電磁データー破壊依頼者が視認出来る事と、テレビカメラで撮影し電磁データー破壊記録を電磁データー破壊依頼者に提出することが出来る電磁データー記録破壊装置。【選択図】図１
2008015998.tif 000002
【特許請求の範囲】
【請求項１】
電磁記録装置を電磁石に接触させ、電磁記録を磁力によって破壊する装置。
【請求項２】
電磁記録装置にショットブラストの硬球を激突させ電磁記録装置を破砕する装置。
【請求項３】
電磁記録装置がシステム内で破砕される工程を視認できるシステム。
【請求項４】
電磁記録装置がシステム内で破砕される工程をテレビカメラで撮影するシステム。
【請求項５】
電磁記録破壊装置を車両等に設置し移動できるシステム。
【発明の詳細な説明】
【技術分野】
【０００１】本発明は電磁記録等の個人情報が外部に流失する事を防ぐために、電磁記録の破壊を求める現地に移動し、記録データーを磁力の磁場に曝す事による記録データーの破壊と、完全を期すために硬球を激突させデーターの記録媒体の本体を破砕する記録データー破壊システムに関する物である。
【背景技術】
【０００２】従来電磁記録データーの破壊にはコンピューターソフトによる消去方式とハードディスク等に穴を開けるか、ハードディスク本体を破砕する方法又磁力に曝す方法等がある。しかしどの方法でも完全にデーターを破壊することは出来ない。消去方式ではコンピューターソフトで復元が可能であり電磁記録を読み取れる。又穴あけ及び磁力に曝す方法も記録ディスク等に断片的な記録データーが残り完全に消去出来ない問題があった。
【発明の開示】
【発明が解決しようとする課題】
【０００３】発明が解決しようとする課題は、電磁記録データーを完全に破壊し記録情報が外部に流失する事を防ぎ、記録データーの破壊を求める現地で破壊処理出来、記録データーの破壊を求める者に完全に破壊処理が完了したことを視認、確認させることが出来る、電磁記録データー破壊処理システム。【０００４】そこで本発明の目的は電磁記録データーの消去破壊は強力な磁力に曝す事によって電磁記録を消去破壊、その後ショットブラストによって硬球を激突させ電磁記録収納本体を破砕し完全に復元出来ない形態にする。又移動式システムによって現地で破壊処理出来、記録データー破壊依頼者に視認、破壊確認させる事が出来る、移動式電磁記録データー破壊システム。
【課題を解決するための手段】
【０００５】前記課題を達成するため本発明に係る移動式電磁記録データー破壊システムは、金属及び樹脂で形成され、移動車両に設置される、破壊する電磁記録データー媒体はベルトに乗り自動投入する。破砕システムボックスの中に入った電磁記録媒体は投入滑り台を滑っていく途中で電磁石によって磁力に曝されデーターを破壊する。データーを破壊された記録媒体はショットブラストの硬球によってデーター部及び電磁記録媒体もろとも破砕する。
【発明の効果】
【０００６】電磁記録データーの流失は社会的影響が大きく問題となっている。本発明は電磁記録データーの完全破砕を実現し、データー除去依頼者が破砕状況を確認できるシステムである。
【発明を実施するための最良の形態】
【０００７】      以下、添付図面に基づいて本発明の実施例を説明する。
図１は、本発明に係る移動式電磁記録データー破壊装置の一例を示す物である。この記録データー破壊装置は金属又は樹脂で形成し、投入ベルト１０に乗った１の記録データーと媒体は１０のベルトの動きによって７の開口部から５の破砕システムボックスに投入される。投入された１は１３，１５の傾斜路を滑り落ちる、１が１３，１５を滑り落ちる途中で１３，１５の背面に設置されている１８の電磁石のスイッチが断続的に入り傾斜路１３，１５の上面に磁力場を形成し１の内部にある記録データーを破壊する。【０００８】１の記録媒体は１５の櫛の平面部に移動する。移動した１に３０のショットブラストの硬球２８を激突させ１を破砕する。ばらばらになった１は２０の破砕くず受けに落下する。２０の破砕くず受は天秤になっており投入口側に傾斜したとき電磁石が働き磁力に着かないプラスチック類及び非鉄金属類が払い落とされる。【０００９】２０が投入口の反対側に傾斜したときは電磁石のスイッチが遮断され金属のみが落下する。この金属は２５のエレベーター装置によって３０のショットプラスト稼動部本体に投入し２８の硬球として１の破砕をする。
【実施例】
【００１０】図２は本発明に使用する移動式電磁記録破壊装置の一例である。
５０の車両に設置された電磁記録データー破壊装置は５４の発電機５８のコンプレッサーで稼動し１の電磁データー媒体の破壊をする、この電磁データー破壊システムは１の電磁データー破壊依頼者の望む場所で作業出来、依頼者が破壊処理を視認し確認できる。【００１１】１の破砕処理状況の確認は依頼者が直接視認する場合のほか９のテレビカメラで撮影し記録の保存も出来る。又本データー破壊システムはコンピューターの記録媒体の他携帯電話等すべての電磁記録データーの破壊処理が可能である。
【産業上の利用可能性】
【００１２】以上説明したように本発明に係る移動式電磁記録データー破壊装置はデーター破壊依頼者の望む場所で依頼者の確認を取りながら破壊出来る事と、データーの情報が絶対に外部に流失する事の無いシステム設計となっている。又テレビカメラで撮影することによって電磁データーの破砕証明記録簿を構築し依頼者の信頼を要る事が出来る。
【図面の簡単な説明】
【００１３】
【図１】本発明に係る移動式電磁記録データー破壊装置の一例を示す斜視図である。
【図２】本発明に係る移動式電磁記録データー破壊装置の一例を示す断面図である。
【符号の説明】
【００１４】１    電磁記録データー媒体
３    内部視認窓
７    投入口
９    テレビカメラ
１０  投入ベルト
１３  傾斜路
１５  櫛状傾斜路
１８  電磁石
２０  天秤式破砕くず受皿
２１  電磁石
２５  エレベーター式硬球移動装置
２８  硬球
３０  ショットブラスト本体
５０  車両
５４  発電機
５８  コンプレッサー
【図１】
2008015998.tif 000003
【図２】
2008015998.tif 000004
(57)【要約】【課題】円柱や球体などの湾曲した面への設置を容易にした光ファイバコイルを提供する。【解決手段】ポリイミド樹脂被覆を形成し次いで熱処理してポリイミド樹脂被覆の表面を炭素被覆とした被覆光ファイバを渦巻き形状に巻き、シリコン樹脂接着剤で渦巻き形状を固定した光ファイバコイル１００を円柱Ｃｙの周面に適合するように変形して接着により設置する。【効果】橋桁やガスタンクなどの湾曲した面に好適に光ファイバコイルを設置できる。【選択図】図４
2008015536.tif 000002
【特許請求の範囲】
【請求項１】
音響，振動，回転成分または温度を測定するための光ファイバコイルであって、ＵＶ硬化型樹脂被覆か、ポリイミド樹脂被覆か、ポリイミド樹脂被覆および炭素被覆かのいずれかを形成した被覆光ファイバを渦巻き形状に巻き、硬化後に弾力性または柔軟性を有する接着材料で渦巻き形状を固定し、シート基材は用いないことを特徴とする光ファイバコイル。
【請求項２】
請求項１に記載の光ファイバコイルにおいて、前記接着材料が、シリコン樹脂接着剤またはゴムであることを特徴とする光ファイバコイル。
【発明の詳細な説明】
【技術分野】
【０００１】
本発明は、光ファイバコイルに関し、さらに詳しくは、円柱や球体などの湾曲した面への設置を容易にした光ファイバコイルに関する。
【背景技術】
【０００２】
従来、光ファイバを渦巻き形状に巻いた光ファイバコイルを用いて、音響，振動，回転成分または温度を測定する技術が知られている（例えば、非特許文献１および非特許文献２参照。）。
【０００３】
【非特許文献１】鎌田弘志他著「沖テクニカルレビュー第189号 Vol.69 No.1」沖電気発行、２００２年１月、ｐ．８０−８３
【非特許文献２】武尾実、“地動の回転成分を観測する新しい地震計の開発”、［online］、平成１２年１０月１８日、東京大学地震研究所、［平成１４年９月２８日検索］、インターネット＜ＵＲＬ：http://www.eri.u-tokyo.ac.jp/KOHO/KOHO/26/26-2.html＞
【発明の開示】
【発明が解決しようとする課題】
【０００４】
従来知られている光ファイバコイルは、平面状で且つ硬質ケースに納められているので、平面の壁などには好適に設置できる。
しかし、円柱や球体などの湾曲した面には設置しにくい問題点がある。
そこで、本発明の目的は、円柱や球体などの湾曲した面への設置を容易にした光ファイバコイルを提供することにある。
【課題を解決するための手段】
【０００５】
第１の観点では、本発明は、音響，振動，回転成分または温度を測定するための光ファイバコイルであって、ＵＶ硬化型樹脂被覆か、ポリイミド樹脂被覆か、ポリイミド樹脂被覆および炭素被覆かのいずれかを形成した被覆光ファイバを渦巻き形状に巻き、硬化後に弾力性または柔軟性を有する接着材料で渦巻き形状を固定し、シート基材は用いないことを特徴とする光ファイバコイルを提供する。
上記第１の観点による光ファイバコイルでは、設置対象物の湾曲した面に適合するように光ファイバコイルを変形することで、円柱や球体などの湾曲した面に好適に設置できる。
【０００６】
第２の観点では、本発明は、上記構成の光ファイバコイルにおいて、前記接着材料が、シリコン樹脂接着剤またはゴムであることを特徴とする光ファイバコイルを提供する。
上記第２の観点による光ファイバコイルでは、シリコン樹脂接着剤またはゴムを接着材料として使用することで硬化後でも容易に変形でき、円柱や球体などの湾曲した面に好適に設置できる。
【発明の効果】
【０００７】
本発明の光ファイバコイルによれば、円柱や球体などの湾曲した面に好適に設置することが出来る。
【発明を実施するための最良の形態】
【０００８】
以下、図に示す本発明の実施の形態を詳細に説明する。なお、これにより本発明が限定されるものではない。
【実施例１】
【０００９】
図１は、実施例１にかかる光ファイバコイル１００を示す説明図であり、（ａ）は正面図、（ｂ）は平面図である。図２は、図１（ａ）のＡ−Ａ’断面図である。
この光ファイバコイル１００は、ポリイミド樹脂被覆を形成し次いで熱処理してポリイミド樹脂被覆の表面を炭素被覆とした被覆光ファイバ１を渦巻き形状に巻き、シリコン樹脂接着剤３で渦巻き形状を固定した構成である。
【００１０】
図３は、光ファイバコイル１００を円柱Ｃｙ（例えば、橋桁）の周面に設置した状態を示す正面図である。図４は、同平面図である。
シリコン樹脂接着剤３は硬化後でも弾力性または柔軟性を有しているため、光ファイバコイル１００を円柱Ｃｙの周面に適合するように変形して接着により設置することが出来る。
また、同様に、球体（例えば、ガスタンク）にも光ファイバコイル１００を好適に設置することが出来る。また、平板（例えば、壁）にも光ファイバコイル１００を好適に設置することが出来る。
【００１１】
なお、被覆光ファイバ１の被覆は、ＵＶ硬化型樹脂被覆やポリイミド樹脂被覆でもよい。
また、シリコン樹脂接着剤３の代わりにゴムで渦巻き形状を固定してもよい。
【図面の簡単な説明】
【００１２】
【図１】実施例１にかかる光ファイバコイルを示す正面図および平面図である。
【図２】図１のＡ−Ａ’断面図である。
【図３】実施例１にかかる光ファイバコイルを円柱の周面に設置した状態を示す正面図である。
【図４】実施例１にかかる光ファイバコイルを円柱の周面に設置した状態を示す平面図である。
【符号の説明】
【００１３】
１          被覆光ファイバ
３          シリコン樹脂接着剤
１００      光ファイバコイル
【図１】
2008015536.tif 000003
【図２】
2008015536.tif 000004
【図３】
2008015536.tif 000005
【図４】
2008015536.tif 000006
(57)【要約】【課題】弦楽器のギターなどで楽器本体を改造せず簡単に音量を大きくし、音色の変化も楽しみ、弦高を高くするために新しくサドルを取り替える事なくそのまま使用する。【解決手段】楽器の取り外しできるサドルと駒、駒と胴体表板の間に薄い金属チタン板を挟みこむ。クラシックギターの場合、金属製敷板を駒に作られたサドル用溝に置き弦受けのサドルと駒で挟むだけで、弦の振動エネルギーを効率よく楽器の表板に伝え音量を大きくすることができ鳴りが良くなる。弦高が低くなったサドルも金属製敷板を敷くことで、サドルを新しく加工し取り替えることなくそのまま使用できる。【選択図】図２
2008015441.tif 000002
【特許請求の範囲】
【請求項１】
弦楽器において胴側弦受け部のサドルと駒、または駒と胴体表板の間に挟みこむ薄い金属製敷板。
【請求項２】
金属の種類のなかではチタンを使用する。
【請求項３】
形は挟みこむサドルまたは駒に合せた形状にする。
【発明の詳細な説明】
【技術分野】
【０００１】本発明は、弦楽器のサドルと駒、駒と胴体表板の間に挟む金属製敷板に関する。
【背景技術】
【０００２】従来、ギター等は弦の振動を胴に伝える為、象牙や牛骨製のサドルと木製の駒等で最良の組み合わせを追求されてはいるが音量が小さい。【０００３】市販普及品の楽器ほど音量、音質など鳴りに不満がある。【０００４】楽器と弦の高さが低くなったサドルは交換することが多かった。【０００５】なお、本発明に関する公知技術として次の特許文献１を挙げることができる。
【特許文献１】特許公開２００５−４１５２号
【発明の開示】
【発明が解決しようとする課題】
【０００６】上述のように、ギター等はそのままでは楽器自体の音量が小さく、音量を大きくする工夫はされてきたが、弦の振動エネルギーを楽器の表板に十分伝える事なく減衰し、楽器が鳴らされていなかった部分があった。【０００７】楽器の指板と弦の高さを希望の高さまで上げるため、厚みの異なる金属の敷板を常備板として準備する。
【課題を解決するための手段】
【０００８】楽器本体を改造する事なく簡単な方法で音量を大きくする為、サドルと駒、駒と表板の間に木材とは異質ではあるが、音伝達性の良い薄い金属板を挟みこむ。【０００９】金属には多くの種類があるがチタンを使用する。
【発明の効果】
【００１０】金属製の板をサドル、駒に敷き込むことで金属板が振動し、弦の振動エネルギーを効率よく広範囲な表板に伝える事ができ、音量が大きく響きの持続が伸びた良く鳴る楽器になる。【００１１】金属製敷板を使用することでの押し弦側での影響は、薄い敷板厚の半分の高さ以下で演奏には影響がない。【００１２】低い弦高を高くする為、本金属製敷板を挟み込みそれまでのサドル又は駒を取り替える事なく簡単に高くでき鳴りもよくなる。【００１３】弦の高さは敷く枚数で希望の弦高まで調整できる。
【発明を実施するための最良の形態】
【００１４】以下、本発明の実施の形態をクラシックギターで図面に基づき説明する。【００１５】図１は本発明品の外観斜視図で、図２は取り付けられた断面図、図３は図２のＡ−Ａ断面図である。【００１６】図２で示すように金属製敷板はサドルと駒に挟み込むだけである。
【実施例】
【００１７】本金属製敷板の形は主に楽器に取り付けられたサドル、または駒の形と同じか少し小さくする。【００１８】厚み、枚数は目的に応じて選択する。【００１９】クラシックギターの場合、駒のサドル用溝に本金属製敷板を挿入しそ上にサドルを乗せて弦を取り付ける。【００２０】駒が表板に乗っている楽器では駒と表板の間に挟みこむ。
【産業上の利用可能性】
【００２１】本発明は弦の振動エネルギーを効率よく楽器の表板に伝えることができ市販の普及品のギター等に利用することで、楽器の鳴りが良くなり商品価値を上げることができる。
【図面の簡単な説明】
【００２２】
【図１】本発明のクラシックギター用の金属製敷板の斜視図である。
【図２】クラシックギターでの金属製敷板を取り付けた胴体表板と駒の断面図である。
【図３】図２のＡ−Ａ断面図である。
【符号の説明】
【００２３】１１    弦
１２    サドル
１３    金属製敷板
１４    駒
１５    表板
【図１】
2008015441.tif 000003
【図２】
2008015441.tif 000004
【図３】
2008015441.tif 000005
(57)【要約】【課題】大気中の二酸化炭素の増加で地球の温暖化が進み異常気象の原因となっている。又、新しいエネルギー源としてメタルハイドレードの利用が注目されている。しかしその採取に熱湯が必要であり、そのためにエネルギーが必要となっている。【解決手段】太陽光を集光して熱湯を作りその蒸気で発電すると同時に沸いた湯でメタルハイドレードを採取する。【選択図】図１
2008286511.tif 000002
【特許請求の範囲】
周囲を黒色に塗装し、内部に電熱ヒーターを備え中部に水を入れ、外部から太陽熱を集光鏡により太陽熱を集中させ、さらに太陽電池で発電した電力をバッテリーに蓄えてヒーターに通電して内部の水を加熱して沸騰させて発生する蒸気で発電機を回し、かつ、高温になった湯を地中に注ぎメタルハイドレードを融解する太陽エネルギー活用システム。
【発明の詳細な説明】
【技術分野】
【０００１】この発明は二酸化炭素を発生しない太陽光エネルギーを利用した発電装置に関するものである。
【背景技術】
【０００２】現在空気中の二酸化炭素の増加により地球が温暖化し、又、我々の日常の生活に欠くことのできない電気を作る手段の火力発電が問題になっている。
【発明が解決しようとするための課題】
【０００３】本、発明はこれらの欠点を取り除くものである。
【発明が解決しようとする手段】
【０００４】周囲を黒色に塗装したタンクに水を入れ、周囲に集光鏡で太陽光を集めて照射し、中の水を湧かせる。充分沸騰した湯から出る蒸気で発電機を回転させる。又、充分高温になった水を低温で高圧な場所に存在するメタルハイドレードを採取する工程で利用する。
【発明を実施するための最良の形態】
【０００５】（イ）以下に本発明の形態について説明する。
（ロ）図−１は本発明のシステム図である。
（ハ）太陽（１）の光をパラボラ型をした集光器（４）で水の入った外壁を黒色に塗装したタンク（２）の外壁に照射する。
（ニ）タンク内部の水の温度は上昇し、やがて沸騰する。
（ホ）沸騰した水から蒸発する上蒸気はタンク上部に満ち発電機（６）のファン（７）を回転させる。
（ヘ）回転する発電機から電気が発生し、利用者に供給される。
（ト）高温になった水はメタルハイドレードを溶かすために用い、採取するコストを低減できる。
（チ）雨天や、曇天の時のため、通常は太陽電池（５）で発電しておき、バッテリー（８）に充電しておく。
（リ）雨天、曇天、夜間はこのバッテリー（８）でヒーター（３）によりタンク内部の水を沸騰させておく。
【発明の効果】
【０００６】地球温暖化の防止と新エネルギーの利用に貢献できる。
【図面の簡単な説明】
【０００７】
【図１】図−１はシステム図である。１太陽  ２タンク  ３ヒーター  ４集光器  ５太陽電池パネル  ６発電機  ７ファン  ８バッテリー
【図１】
2008286511.tif 000003
【手続補正書】
【提出日】平成19年7月27日(2007.7.27)
【手続補正１】
【補正対象書類名】明細書
【補正対象項目名】全文
【補正方法】変更
【補正の内容】
【発明の詳細な説明】
【特許請求の範囲】
周囲を黒色に塗装し、内部に電熱ヒーターを備えたタンクの内部に水を入れ、外部から太陽熱を集光鏡により太陽熱を集中させ、さらに太陽電池で発電した電力をバッテリーに蓄えてヒーターに通電して内部の水を加熱して沸騰させて発生する蒸気でタンクの上部に備えた発電機のファンを廻しかつ、高温になった湯を発電した電力でポンプを動作させて地中に注ぎ地中のメタンハイドレードを融解し採取する太陽エネルギー活用システム。
【技術分野】
【０００１】この発明は二酸化炭素を発生しない太陽光エネルギーを利用したメタンハイドレードを採取する装置に関するものである。
【背景技術】
【０００２】現在火力発電のために使用する化石燃料により発生する空気中の二酸化炭素の増加により地球が温暖化し、様々な気候の異常現象が発生し  ている。
【発明が解決しようとする課題】
【０００３】本、発明はこの欠点を取り除くものである。
【発明が解決しようとする手段】
【０００４】周囲を黒色に塗装したタンクに水を入れ、周囲に集光鏡で太陽光を集めて照射し、内部の水を沸騰させる。
充分に沸騰した湯から出る蒸気でタンクの上部に取り付けた発電機のファンを回転させて発電する。又、高温になって湯を発電した電力でポンプを動作させて地中深くの低温で高圧な場所に存在するメタンハイドレードを採取する工程で使用する。
【発明を実施するための最良の形態】
【０００５】（イ）以下に本発明の形態について説明する。
（ロ）図−１は本発明のシステム図である。
（ハ）太陽（１）の光をパラボラ型をした集光器（４）で外壁を黒色に塗装して水の入ったタンク（２）の外壁に焦点が合うように設置し、照射する。
（ニ）同時に太陽電池（５）で発電した電力をバッテリー（６）に充電しておき、夜間や、雨天、曇天の時、通常の加熱時にヒーター（３）により加熱する。
（ホ）タンク（２）の内部の水は沸騰し、蒸気を発生する。
（ヘ）蒸気はタンク（２）の上部のファン（７）を回転させ、発電機（４）を動作させる。
（ト）発電した電気でポンプ（８）を動作させてタンク（２）の内部の熱湯をメタンハイドレードのある地中へ注入する。
（チ）融解したメタンハイドレードを地上へ取り出し有効に活用する。
【発明の効果】
【０００６】地球温暖化の防止と新エネルギーの利用に貢献できる。
【図面の簡単な説明】
【０００７】図−１はシステム図である。
１太陽
２タンク
３ヒーター
４集光器
５太陽電池パネル
６発電機
７ファン
８ポンプ
【手続補正２】
【補正対象書類名】図面
【補正対象項目名】全図
【補正方法】変更
【補正の内容】
【図１】
2008286511.tif 000004
(57)【要約】      （修正有）【課題】温度センサー、マイクロコンピューター、リモコン、室外機、インバーター及び特殊な工夫をした装置を設けて快適な自動温度制御を可能にするエアコンを実現する。【解決手段】センサーからの情報を逐一取り込みすばやくそれに対処するため２つの磁気ディスクとＣＰＵを設け第１のディスクに逐一情報を記録しＣＰＵへ送り又同時に第２のディスクの対になったディジタル信号とアナログ信号を設け第１の情報が現われた瞬間高速検索によりすでに入力済みの予想された同一の第２ディスクに作成された情報とがＣＰＵ内で一致。その瞬間書き込まれ作成されていた相方の別の信号が現われる。このようにして予想される最大或の温度をこまかくチェックしてそれに応じて鋭敏に反応して滑らかにすばやく精密に温度を調節制御が可能となる。【選択図】図１
2008286512.tif 000002
【特許請求の範囲】
【請求項１】
温度物理情報をＡ−Ｄ変換し、その情報を記録し再生しＣＰＵへそのしゅん間そのしゅん間送るための磁気ディスクと、一方別に温度物理情報のディジタルデータそれと一対一にされた理想的な快適さを生むため考慮された信号すなわちアナログデータとが記録された磁気ディスクと、一方のディジタル量ともう一方の作成された磁気ディスク中、同一のディジタル量を高速検索するＣＰＵと、一致すると後者のディスクの片対のアナログデータが規定されインバーター、モーターへ送られインバーターにおいては電圧と周波数が変化してモーターの回転速度が変る。これによってきめこまかく温度制御ができる。
【発明の詳細な説明】
【技術分野】
【０００１】  本発明は、家庭のエアコンの温度の自動制御に関する。
【背景技術】
【０００２】  従来の家庭用エアコンの温度制御調節において、温度センサー及びマイクロコンピューター、リモコン温度設定及び室外機におけるモーターとコンプレッサー等及びインバーターを設けたものがある（例えば、非特許文献１参照。）。
【非特許文献１】「Ｎａｔｉｏｎａｌ  エアコン総合カタログ２００７」、松下電器産業株式会社、２００７、ｐ２８
【発明の開示】
【発明が解決しようとする課題】
【０００３】  以上に述べた従来のエアコンでは、温度センサー、マイクロコンピューター、リモコン、室外機及びインバーターを設けても快適な温度制御とまでは行かないコントロールしかできず粗雑なものであった。【０００４】  本発明は、このような従来の構成が有していた問題を解決しようとするものであり、温度センサー、マイクロコンピューター、リモコン、室外機、インバーター及び特殊な工夫をした装置を設けて快適な自動温度制御を可能にするエアコンを実現することを目的とするものである。
【問題を解決するための手段】
【０００５】  そして、本発明は上記目的を達成するために温度センサーからの自然な信号をＡ−Ｄ変換器によってデジタル信号に変換しこれによって外気あるいは室内温度の変化を非常に細かく精密に自動制御するためにそのデジタル信号の変化する値を適当な磁気ディスクに記憶し逐一２進数値としてただちに書き込みそして読み出しマイクロコンピューターのＣＰＵへ転送し、さて一方では、もうひとつの適当な磁気ディスクを設けこれにも先じて外気室内気の変化する温度の前者と全ったく同一のしかし温度の全或にわたる２進ディジタル信号を記録させておきさてそれぞれの記録されたディジタル信号とする。そして、前者の磁気ディスクに外部から入って来る情報のひとつ一つのディジタル信号を取り込み記憶させただちに書き込みただちに読み出しただちにＣＰＵへ転送する。さて第２の磁気ディスクには外気あるいは室内気における予想されるすべての巾の温度、例えば−２０℃〜５０℃、温度センサーの感度０．１℃〜０．００１℃すなわちこの場合変化の巾を７００〜７０．０００分割したときの温度の値、例えば３４．５２℃のときＡ−Ｄ変換機からのそのときの値を１１０１１１１０１１としたときすべてこのように７０００の値を求めて記憶させておきかつこれら７０００個のひとつ一つの記憶された値に一対一に室外機のモーターへ送るために必要な電流として何らかのアナログ信号として記憶させておく。これで全或にわたる温度の滑らかで精密なすなわち快適な自動制御のための特殖な工夫された装置を設けることができる。
【０００６】  さて、第１の磁気ディスクのディジタル信号をＣＰＵへ送りかつ第２の磁気ディスクの信号とをマイクロコンピュターのＣＰＵの中で比較し一致させるように検索させる。すると同一のディジタル信号だからこれらデータをアドレスと見なすことができ検索できる。そうして一致したとき、室外機のモーター及びＶＶＶＦインバーターへ送る制御のためのアナログ信号がそれぞれ第２の磁気ディスクにあらかじめ考慮されて記憶されているから、例えば外気あるいは室内気の温度が３４．５２℃するとＡ−Ｄ変換器により、１１０１１１０１１が磁気ディスクへ書き込まれただちに読み出されてＣＰＵへ送られ第２の磁気ディスクからも読み出されてＣＰＵの中で高速検索され１１０１１１０１１と一致するときが来る。すると、１１０１１１０１１の横すなわち一対一に対応してかつあらかじめ快適性を考慮してインバーターとモーターへ送るため準備されたアナログ信号が現われる。このアナログ信号がインバーターへ送られる。すると電圧及び周波数がこれら変化するアナログ信号に応じてひいては外気室内温度に応じてモーターの回転速度が滑らかにすばやく精密に変化して制御できる。
【発明の効果】
【０００７】  上述したように本発明のエアコンは、予想される最大或の温度をこまかくチェックしてそれに応じて鋭敏に反応して滑らかにすばやく精密に温度を調節制御して快適な自動温度制御のエアコンを提供できる。
【発明の実施するための最良の形態】
【０００８】  以下、本発明の実施の形態を図１に基づいて説明する。
【０００９】  図においては、物理温度情報はＡ−Ｄ変換器によりディジタル信号に変られる。それらは第１磁気ディスクへ書き込まれＣＰＵに読み出され用意されている第２磁気ディスクのディジタル信号が読み出されＣＰＵで同一のデータとして検索され一致する。すると横に一対一に書き込まれているアナログ信号がインバーターへ送られアナログ信号のきめこまかな量によってすなわち電圧及び周波数が細かく制御されてモーターの回転速度が滑らかに制御される。これによってエアコンの快適な温度制御ができる。
【図面の簡単な説明】
【００１０】
【図１】本発明の本質を示すエアコンの抽象図面
【図１】
2008286512.tif 000003
(57)【要約】【課題】  音圧の低下が抑制される音源装置を提供する。【解決手段】  振動して音を発生させる振動ブロック１と、振動ブロック１が発生させる音を通す音穴２１が内外に貫設されて振動ブロック１を収納したケース２と、ケース２に結合し、ケース２の外面において少なくとも音穴２１が設けられた部位を間に隙間３０を空けて覆うカバー３とを備える。カバー３には、上記隙間３０の内外にそれぞれ開口した音穴３１が貫設され、カバー３においてケース２に対向する面には、カバー３の音穴３１を閉塞して水の通過を阻止する防水シート４が固着されている。カバー３の音穴３１はケース２の音穴２１よりも大きく、且つ、防水シート４とケース２の外面との間には隙間が設けられている。【選択図】図１
2008286945.tif 000002
【特許請求の範囲】
【請求項１】
音源と、
音源の音を通す音穴が内外に貫設されて音源を収納したケースと、
ケースに結合し、ケースの外面において少なくとも音穴が設けられた部位を間に隙間を空けて覆うカバーとを備え、
カバーには、前記隙間の内外にそれぞれ開口した音穴が貫設され、カバーにおいてケースに対向する面には、カバーの音穴を閉塞して水の通過を阻止する防水シートが固着されていて、
カバーの音穴はケースの音穴よりも大きく、且つ、防水シートとケースの外面との間には隙間が設けられていることを特徴とする音源装置。
【発明の詳細な説明】
【技術分野】
【０００１】
本発明は、音源装置に関するものである。
【背景技術】
【０００２】
従来から、音源装置として、音穴が内外に貫設されたケースに音源を収納したものが提供されている。
【０００３】
この種の音源装置において、音穴から水が浸入すると、共振周波数の変動による音圧の低下が発生し、また故障の原因ともなり得るため、従来は、防水性を確保するために、音穴を閉塞する防水シートをケースの内面に固着していた（例えば、特許文献１参照）。
【特許文献１】特開平６−８６３９６号公報
【発明の開示】
【発明が解決しようとする課題】
【０００４】
しかし、上記従来構成では、音穴と防水シートとで構成される凹部内に溜まった水による音圧の低下が発生しやすかった。
【０００５】
本発明は、上記事由に鑑みて為されたものであり、その目的は、音圧の低下が抑制される音源装置を提供することにある。
【課題を解決するための手段】
【０００６】
本発明は、音源と、音源の音を通す音穴が内外に貫設されて音源を収納したケースと、ケースに結合し、ケースの外面において少なくとも音穴が設けられた部位を間に隙間を空けて覆うカバーとを備え、カバーには、前記隙間の内外にそれぞれ開口した音穴が貫設され、カバーにおいてケースに対向する面には、カバーの音穴を閉塞して水の通過を阻止する防水シートが固着されていて、カバーの音穴はケースの音穴よりも大きく、且つ、防水シートとケースの外面との間には隙間が設けられていることを特徴とする。
【発明の効果】
【０００７】
本発明によれば、カバーや防水シートを設けない場合に比べて防水性が向上する。また、カバーの音穴はケースの音穴よりも大きく、防水シートとケースの外面との間に隙間が設けられているので、防水シートをケースの内面に固着してカバーを設けない場合や、防水シートがケースの外面に密着する場合に比べ、音穴と防水シートとによって構成される凹部内の水滴による音圧の低下が抑制される。
【発明を実施するための最良の形態】
【０００８】
以下、本発明を実施するための最良の形態について、図面を参照しながら説明する。
【０００９】
本実施形態は、図１に示すように、音源としての振動ブロック１と、振動ブロック１が発生させた音を通す音穴２１が内外に貫設されて振動ブロック１を収納したケース２と、ケース２に結合しケース２の外面において音穴２１が開口した部位（図１における上面）を間に隙間３０を空けて覆うカバー３とを備える。ケース２及びカバー３は、それぞれ例えばＡＢＳ（acrylonitrile butadiene styrene）樹脂やＰＣ（polycarbonate）樹脂などの合成樹脂からなる。
【００１０】
振動ブロック１は、例えば黄銅製の円板形状の振動板１１と、振動板１１の一面に固着された圧電素子１２とからなり、圧電素子１２に電圧が加えられることにより振動して音を発生させる周知の圧電ブザーである。
【００１１】
ケース２の内面には、外径が振動板１１よりも僅かに小さい円筒形状の支持部２２が内側へ突設されており、振動板１は、厚さ方向を支持部２２の軸方向に向けて、圧電素子１２が固着された面の反対面の周縁部を支持部２２の下端に固着されている。支持部２２に囲まれる空間の共振周波数と振動板１１の共振周波数とは揃えられており、音穴２１はケース２の内側（図１の下側）から見て支持部２２に囲まれる範囲の中心に位置している。
【００１２】
カバー３において、ケース２の音穴２１の貫通方向（図１の上方向）から見てケース２の音穴２１に重なる部位を含む範囲には、ケース２との間の隙間の内外を連通させる音穴３１が貫設されている。つまり、カバー３の音穴３１はケース２の音穴２１よりも大きい。
【００１３】
さらに、カバー３の内面（図１での下面）には、カバー３の音穴３１を閉塞して水の浸入を防止する防水シート４が固着されている。防水シート４としては、例えばゴアテックス（登録商標）を用いることができる。また、固着の手段としては、例えば接着剤による接着を用いることができる。カバー３とケース２との間の隙間３０は、ケース２の外面と防水シート４との間に隙間が空く程度に大きくしてある。
【００１４】
ここで、図２に示すように防水シート４がケース２の外面に密着する場合、外側（図２での上側）から見てケース２の音穴２１に重なる位置に水滴Ｄが生じた場合、水滴Ｄによる音圧の低下が著しい。これに対し、本実施形態では、防水シート４とケース２の外面との間に隙間が空いており、且つ、カバー３の音穴３１はケース２の音穴２１よりも大きいので、図３に矢印Ａで示すように、音が水滴Ｄを避けて伝播する経路が存在することにより、音圧の低下が抑制される。
【００１５】
また、従来例のようにカバー３を設けず防水シート４をケース２の内面に固着してケース２の音穴２１を閉塞する場合に比べ、カバー３の音穴３１がケース２の音穴２１よりも大きいことにより、防水シート４と音穴２１，３１とで構成される凹部の全体に水が行き渡りにくくなるから、音圧の低下が発生しにくい。
【図面の簡単な説明】
【００１６】
【図１】本発明の実施形態の要部を示す断面図である。
【図２】同上の比較例を示す断面図である。
【図３】同上の効果を示す説明図である。
【符号の説明】
【００１７】
１  振動ブロック
２  ケース
３  カバー
４  防水シート
２１，３１  音穴
３０  隙間
【図１】
2008286945.tif 000003
【図２】
2008286945.tif 000004
【図３】
2008286945.tif 000005
(57)【要約】【課題】密閉構造のガスホルダー本体と、ガスホルダー本体内を下部のガス室と上部の大気室とに仕切る昇降可能なピストンと、ピストン周縁に設けられ、ガスホルダー本体の側壁に押付けられてガスホルダー本体との間をシールするシール材を備え、かつシール材のガスホルダー本体側壁への摺動を滑らかにするための潤滑油を貯蔵したシール装置と、ガスをガスホルダー本体のガス室に吹き出し、或いは該ガス室のガスを排出させる出口管と入口管を有するガスホルダーにおいて、ガスが吹き付けられるガスホルダー本体の側壁にガスに含まれる粉塵が付着することによって生ずるシール材の偏摩耗を防止する。【解決手段】入口管４にフード１２を取付け、ガスが入口管４からピストン中央部に吹付けられるようにしてガスホルダー本体１の側壁への粉塵の付着を平均化する。【選択図】図３
2008286255.tif 000002
【特許請求の範囲】
【請求項１】
密閉構造のガスホルダー本体と、該ガスホルダー本体内を上下に仕切る昇降可能なピストンと、ピストン周縁に設けられ、ガスホルダー本体の側壁に押付けられてガスホルダー本体との間をシールするシール材を備え、かつシール材のガスホルダー本体側壁の摺動を滑らかにするための潤滑油を貯蔵したシール装置と、ガスをガスホルダー本体内に吹き出す入口管と、ガスホルダー本体内のガスを排出させる出口管とを有するガスホルダーにおいて、入口管はガスの吹き出しがピストンに向けて行われるように構成されることを特徴とするガスホルダー。
【発明の詳細な説明】
【技術分野】
【０００１】
本発明は、製鉄所や化学工場等の可燃ガス発生プラントで発生する可燃ガスなどのガス消費プラントに送給する経路に設けられる可変容量式のガスホルダーに関する。
【背景技術】
【０００２】
可燃ガス発生プラントの一つに製鉄所の高炉がある。高炉で副生ガスとして発生する一酸化炭素を含む可燃ガスの高炉ガスは、ガス消費プラント、例えば自家発電所に送給されて発電用として消費されるが、余剰分は一旦ガス消費プラントの送給経路に設けられたガスホルダーに貯蔵される。そして高炉からガス消費プラントへの供給量に不足を生ずるときには、不足分がガスホルダーよりガス消費プラントに供給されるようにしている。
【０００３】
図1は、ガスホルダーの１例の概略構造を示すもので、密閉構造をなすガスホルダー本体１と、ガスホルダー本体１内で下部のガスと上部の大気を仕切り、ガス圧によって昇降する可撓性材からなるピストン２と、ピストン２の周縁とガスホルダー本体１の側壁内面との間をシールするシール装置３と、ガスホルダー本体下部に差込まれ、ガスの入口管４と出口管５よりなり、シール装置３は、図２に示すようにピストン２周縁に保持され、ガスホルダー本体１の側壁１ａ内面に押付けられるゴム製のシール材６を有すると共に、潤滑油７が貯蔵され、この潤滑油７によってガスホルダー本体１の側壁内面に沿ったシール材の摺動が滑らかに行われるようにしている。図中、８はピストン周縁のバランス材９に取付けられ、シール材６をガスホルダー本体１の側壁１ａに押付ける押付機構である。この種のシール装置が下記特許文献１に開示されている。
【特許文献１】特開２００１−２１９９９１号
【発明の開示】
【発明が解決しようとする課題】
【０００４】
図１に示すガスホルダーにおいて、ガスホルダー本体内には、入口管４からガス発生プラントで発生したガスが矢印の水平向きに吐出されるようになっている。そのため高炉ガスのように固形分の粉塵が混入したガスでは、ガスと共に粉塵が入口管４と対向するガスホルダー本体１の側壁に吹付けられるようになるが、側壁内面には潤滑油の油膜が形成されているため、粉塵が油膜に付着し、この付着が入口管４と対向する側に偏在するようになり、その結果、ピストン２の昇降が繰返されるにつれ、シール装置のシール材６が偏磨耗するようになる。
【０００５】
本発明は、上述するシール装置のシール材の偏磨耗を防止することができるガスホルダーを提供することを目的とする。
【課題を解決するための手段】
【０００６】
本発明は、密閉構造のガスホルダー本体と、該ガスホルダー本体内を上下に仕切る昇降可能なピストンと、ピストン周縁に設けられ、ガスホルダー本体の側壁に押付けられてガスホルダー本体との間をシールするシール材を備え、かつシール材のガスホルダー本体側壁の摺動を滑らかにするための潤滑油を貯蔵したシール装置と、ガスをガスホルダー本体内に吹き出す入口管とガスホルダー本体内のガスを排出させる出口管とを有するガスホルダーにおいて、入口管はガスの吹き出しがピストン、好ましくはピストン中央部に向けて行われるように構成されることを特徴とする。
【発明の効果】
【０００７】
本発明によると、粉塵を含むガスがピストン、好ましくはピストン中央部に向けて吹き出されることによりガスホルダー本体の側壁への粉塵の付着が平均化され、シール材の磨耗も平均化されて偏磨耗が防止される。そしてその結果、シール材の取替え等、シール装置の改修の頻度が少なくてすみ、シール装置の耐用が向上する。
【発明を実施するための最良の形態】
【０００８】
図３は、本発明に係わるガスホルダー１１を示すもので、図中、図１に示すガスホルダーと同一構造部分には同一符号を付してある。
【０００９】
ガスホルダー１１は密閉構造のガスホルダー本体１と、ガスホルダー本体１内を下部のガス室１ｃと上部の大気室１ｂに上下に仕切る昇降可能な可撓性材からなるピストン２と、ピストン周縁に設けられ、ガスホルダー本体１の側壁との間をシールするシール装置３と、ガスホルダー本体１の下部に差込まれ、高炉からの高炉ガスをガス室１ｃに出入りさせる入口管４と出口管５を有し、シール装置３には図２に示されるように、ガスホルダー本体１の側壁内面にバランス材９に取着の押付機構８によって押付けられるゴム製のシール材を有すると共に、該シール材６がガスホルダー本体１の側壁を滑らかに摺動するようにするための潤滑油７が貯蔵されている。
【００１０】
入口管４は、その端部に高炉ガスをピストン２の中央部に向けて図の矢印方向に吹き出すフード１２を取付けている。
【図面の簡単な説明】
【００１１】
【図１】ガスホルダーの従来例を示す概略図。
【図２】シール装置の断面図。
【図３】本発明に係わるガスホルダーの概略図。
【符号の説明】
【００１２】
１・・ガスホルダー本体
２・・ピストン
３・・シール装置
４・・入口管
５・・出口管
６・・シール材
７・・潤滑油
８・・押付機構
９・・バランス材
１１・・ガスホルダー
１２・・フード
【図１】
2008286255.tif 000003
【図２】
2008286255.tif 000004
【図３】
2008286255.tif 000005
(57)【要約】      （修正有）【課題】道路工事等で紛失したトラバー点が無くてもブロック塀や家の角に記した座標から機械点を計算し、測量に移る技術を提供する。【解決手段】２点の座標から直線距離Ｌ１を計算し、且つ余弦定理でＬ１’、θ３を計算する。Ｌ１とＬ１’を比較すればポイント間違いや誤差から精度が確認出来る。後視点を既知座標２、機械点を既知座標１と仮想して右回り角度θ３，前視距離をＬ２とすればＴ−１座標は計算出来る。既知座標１を後視点に、Ｔ−１座標を機械点にソフト上で置き換えれば、次の測量作業に移れる。【選択図】図１
2008286808.tif 000002
【特許請求の範囲】
【請求項１】
既知座標２点を計測する事で機械点の座標を計算するシステム。
【発明の詳細な説明】
【技術分野】
【０００１】本発明は、道路工事等で紛失したトラバー点が無くてもブロック塀や家の角に記した座標から機械点を計算し、測量に移る技術に関するものである。
【背景技術】
【０００２】舗装工事等でトラバー点が日常的に紛失している。
【発明の開示】
【発明が解決しようとする課題】
【０００３】家の角等にある座標２点から計算出来る方法はないものか。
【課題を解決しようとする手段】
【０００４】測定機を任意の場所に設置して既知座標（１）、（２）の距離Ｌ２，Ｌ３及びその右回り角度θ１を計測する。（図１）参照
【０００５】２点の座標から直線距離Ｌ１を計算し、且つ余弦定理でＬ１’、θ３を計算する。
Ｌ１とＬ１’を比較すればポイント間違いや誤差から精度が確認出来る。
後視点を既知座標（２）機械点を既知座標（１）と仮想して右回り角度θ３，前視距離をＬ２とすればＴ−１座標は計算出来る。
【０００６】既知座標（１）を後視点に、Ｔ−１座標を機械点にソフト上で置き換えれば、簡単に次の測量作業に移れる。
【発明の効果】
【０００７】トラバー点の復元無しに精度の高いデータが得られる。
【発明を実施するための最良の形態】
【０００８】先に出願した「光波測定機の測距補正値計算」を併用すれば更なる精度が期待出来る。
【特許文献】特開２００８−号広報
【産業上の利用可能性】
【０００９】光波測定機内にソフトを内蔵することで、簡単に測量結果に生かせ、測量業界全体のレベルアップが計れる。
【図面の簡単な説明】
【００１０】
【図１】座標検索システムの理論を示した説明図である。
【図２】フローチャート
【符号の説明】
【００１１】
【図１】
2008286808.tif 000003
【図２】
2008286808.tif 000004